(57)【要約】【課題】排水を阻害することなく光の侵入を防止できるベースカップを提案する。【解決手段】容器（１）の底部に適合させて該容器（１）を自立させるベースカップ（２）を、容器の底部中央部に向けて隆起する凸部（t）を有しその縁部（t１）を最も低くしたドーム型の底壁(２ａ)と、該底壁（２ａ）の凸部（t）に嵌合する中心開口（Ｋ）及び容器の底部に適合させる外側開口（Ｋ１）を有し該外側開口（Ｋ１）から中心開口（Ｋ）に向けて下り勾配を形成したすり鉢状の遮蔽壁（２ｂ）と、前記底壁（２ａ）及び前記遮蔽壁（２ｂ）を取り囲みそれらの端縁でそれぞれ連結する外周壁(２ｃ)にて構成する。そして、前記底壁（２ａ）の縁部（t１）に、ベースカップの内外に通じる少なくとも１つの貫通孔（３）を設け、前記中心開口（Ｋ）と前記凸部（t）との嵌合部位に、遮蔽壁（２ｂ）に沿って流下する水分を前記貫通孔（３）を通してベースカップの外側に排出する少なくとも１つの通路（４）を設ける。【選択図】図１
2006096358.tif 000002
【特許請求の範囲】
【請求項１】
容器の底部に適合させて該容器を自立させるベースカップであって、
容器の底部中央部に向けて隆起する凸部を有しその縁部を最も低くしたドーム型の底壁と、該底壁の凸部に嵌合する中心開口及び容器の底部に適合させる外側開口を有し該外側開口から中心開口に向けて下り勾配を形成したすり鉢状の遮蔽壁と、前記底壁及び前記遮蔽壁を取り囲みそれらの端縁でそれぞれ連結する外周壁からなり、
前記底壁の縁部に、ベースカップの内外に通じる少なくとも１つの貫通孔を設け、
前記中心開口と前記凸部との嵌合部位に、遮蔽壁に沿って流下する水分を前記貫通孔を通してベースカップの外側に排出する少なくとも１つの通路を設けたことを特徴とする容器用ベースカップ。
【請求項２】
前記底壁は、ヒンジを介して外周壁に揺動可能につながり、その揺動端にて外周壁に係止されるものである、請求項１記載のベースカップ。
【請求項３】
前記底壁は、外周壁とは別体になり、その端縁をアンダーカット嵌合によって外周壁に係止されたものである、請求項１記載のベースカップ。
【請求項４】
前記遮蔽壁は、外周壁とは別体になり、その端縁をアンダーカット嵌合によって外周壁に係止されたものである、請求項１記載のベースカップ。
【発明の詳細な説明】
【技術分野】
【０００１】
本発明は、合成樹脂製容器に適用して好適なベースカップに関するものであり、とくに、該ベースカップに設けられた水抜き開孔を通して侵入する光を確実に防止しようとするものである。
【背景技術】
【０００２】
ペットボトルに代表される合成樹脂製の容器は、軽量で取り扱いが容易であり、また、透明性が確保できガラス製の容器に比較して遜色のない外観を呈すること等から近年、食品や飲料、化粧料あるいは薬剤などを充填する容器として多用されている。
【０００３】
例えば、炭酸飲料を充填するのに適した容器は、内圧上昇に伴う容器の変形や破損を防止する観点から、容器の底部を半球形状に成形し、容器の自立性を確保するために、その底部にベースカップが装着されているものがある。
【０００４】
上記のベースカップは、容器の底部に嵌合する開口を有する周壁と、この周壁につながりその裏面を接地面とする底壁からなっており、スチームや熱湯を使用した容器の加熱殺菌過程等で、容器の底部とベースカップとの間に入り込んだ水分が簡単にベースカップの外へと流れ出るようにその底壁には複数の水抜き用の貫通孔（排水孔）が設けられた構造になっている（例えば特許文献１参照）。
【特許文献１】実開平５─２２３３６号公報
【発明の開示】
【発明が解決しようとする課題】
【０００５】
従来、この種の容器において、光（太陽光や蛍光灯など）の透過によって風味が落ちる等、品質に影響を与えるような内容物を充填しているものにあっては、容器の胴体部分やベースカップに遮光用のフィルム等を装着することによって対処するのが普通であるが、上記のようなベースカップは黴の発生を防止する観点等から水抜き用の貫通孔を閉塞させることはないので、容器の保管状態によっては該貫通孔から光が侵入し、内容物の品質に悪影響を与えるおそれがあった。
【０００６】
本発明の課題は、水抜き用の貫通孔を閉塞させることなしに光の侵入を防止できる新規なベースカップを提案するところにある。
【課題を解決するための手段】
【０００７】
本発明は、容器の底部に適合させて該容器を自立させるベースカップであって、
容器の底部中央部に向けて隆起する凸部を有しその縁部を最も低くしたドーム型の底壁と、該底壁の凸部に嵌合する中心開口及び容器の底部に適合させる外側開口を有し該外側開口から中心開口に向けて下り勾配を形成したすり鉢状の遮蔽壁と、前記底壁及び前記遮蔽壁を取り囲みそれらの端縁でそれぞれ連結する外周壁からなり、
前記底壁の縁部に、ベースカップの内外に通じる少なくとも１つの貫通孔を設け、
前記中心開口と前記凸部との嵌合部位に、遮蔽壁に沿って流下する水分を前記貫通孔を通してベースカップの外側に排出する少なくとも１つの通路を設けたことを特徴とする容器用ベースカップである。
【０００８】
上記の構成になるベースカップにおいて、前記底壁は、ヒンジを介して外周壁に揺動可能につながり、その揺動端にて外周壁に係止されるものとするのがよい。
【０００９】
また、前記底壁は、外周壁とは別体とし、その端縁をアンダーカット嵌合によって外周壁に係止することもできる。
【００１０】
さらに、前記遮蔽壁については、外周壁とは別体とし、その端縁をアンダーカット嵌合によって外周壁に係止することができる。
【発明の効果】
【００１１】
貫通孔の直上には遮蔽壁が存在するため、該貫通孔から光が入っても該光は該遮蔽壁によって遮られる。
【００１２】
ベースカップ内の水分は、遮蔽壁の壁面上を中心部に向かって流下し該遮蔽壁の中心開孔と凸部との嵌合部において設けられた通路を通って貫通孔から効率よく排出される。
【発明を実施するための最良の形態】
【００１３】
以下、図面を参照して本発明をより具体的に説明する。
図１は本発明にしたがうベースカップを装着した容器の全体を示した図であり、図２(ａ)(ｂ)はベースカップの平面及び底面を示した図である。
【００１４】
図における１は容器、２は容器１の底部において装着され該容器１を自立させるベースカップである。このベースカップ２は容器１の底部中央に向けて隆起する凸部ｔを有しその縁部ｔ１を最も低くしたドーム型の底壁２ａと、該底壁２ａの凸部ｔに嵌合する中心開口Ｋ及び容器１の底部に適合させる外側開口Ｋ１を有し、該外側開口Ｋ１から中心開口に向けて下り勾配を形成したすり鉢状の遮蔽壁２ｂと、底壁２ａ及び遮蔽壁２ｂを取り囲みそれらの端縁でそれぞれ連結する外周壁２ｃからなる。
【００１５】
また、３は底壁２ａの縁部ｔ１に設けられた貫通孔である。この貫通孔３はベースカップ２の内外に通じるように接地面に向けて開口されている。
【００１６】
４は遮蔽壁２ｂに沿って流下する水分（スチームや熱湯等）を前記貫通孔３を通してベースカップ２の外側に排出する通路である。この通路４は中心開口Ｋの縁に沿って所定長さを有する複数本のリブＬを間隔を開けて配置することによって形成する（図３（ｂ）参照）。さらに、５は容器１の口部直下からベースカップ２の外側壁２ｃにかけて巻き回された遮光性フィルムである。
【００１７】
上記の構成になるベースカップ２は、底壁２ａに接地面に向けて開口された貫通孔３を有するが、その上部には遮蔽壁２ｂが存在しており、太陽や蛍光灯等の光が貫通孔３から入ってきても容器１の底部に直接当たることがない。また、ベースカップ内に存在する水分ついては該貫通孔３よりも横にずれて形成された通路４を経て該貫通孔３より速やかに排出される。
【００１８】
底壁２ａは図３（ａ）〜（ｃ）に示すようにヒンジ６を介して外周壁２ｃに揺動可能に連結し、その揺動端Ｐをアンダーカット等の係合手段にて外周壁２ｃに係止しておくことができ、このような構造を採用することでベースカップの１パーツ化が可能となる。
【００１９】
図４は底壁２ａを遮蔽壁２ｂ、外周壁２ｃとは別体としてその端縁をアンダーカット嵌合によって外周壁２ｃに係止した本発明の他の実施の形態を示したものであり、図５は遮蔽壁２ｂを底壁２ａ、外周壁２ｃとは別体としてその縁部をアンダーカット嵌合によって外周壁２ｃに係止した本発明の他の実施の形態を示したものである。
【００２０】
上記図４、５に示した構造のベースカップは２パーツ構造のものであるが、上掲図１、２に示したものと同様、水分の排出を阻害することなしに遮光が可能となる。
【００２１】
図６は遮蔽壁２ｂを別体としてその端縁を外周壁２ｃの内面で係止した本発明にしたがうさらに他の実施の形態を示したものである。この構造のベースカップは、遮蔽壁２ｂにて容器１の底部に適合させる外側開口Ｋ１を形成することがないので、外周壁２ｃにその機能をもたせた開口Ｋ２を設ける。
【００２２】
ベースカップはその外面に遮光フィルムを装着しておくことができるが、遮光性の高い樹脂にて成形してもよく、この点については限定されない。また、遮蔽壁２ｂの上に容器１を載置するように構成することにより、容器１をより安定に保持できる。さらに、遮蔽壁２ｂの上に外側開口Ｋ１から中心開口Ｋに向かって延びるリブを複数形成し、該リブ上に容器１を載置するように構成することによって、良好な排水性を維持したまま、容器を安定保持できる。上記リブの形状、個数は任意の形状、個数が採用できる。
【００２３】
また、底壁２ａはドーム型の断面形状を有するものとし、遮蔽壁２ｂをすり鉢状の断面形状を有するものとして示したが、通路４を通過した水分を貫通孔３へ向けて流下させることができあればその形状は適宜変更することが可能である。
【００２４】
通路４については、中心開口Ｋの縁に切欠を設けるか、あるいはその近傍域に貫通孔を設けることによって形成してもよい。
【産業上の利用可能性】
【００２５】
水分の排出を阻害することなしに光の侵入を回避できるベースカップ付きの容器が安定供給できる。
【図面の簡単な説明】
【００２６】
【図１】本発明にしたがうベースカップを装着した容器の全体を示した図である。
【図２】（ａ）（ｂ）はベースカップの平面、底面をそれぞれ示した図である。
【図３】（ａ）〜（ｃ）は本発明にしたがうベースカップの他の実施の形態を示した図である。
【図４】本発明にしたがうベースカップの他の実施の形態を示した図である。
【図５】本発明にしたがうベースカップの他の実施の形態を示した図である。
【図６】本発明にしたがうベースカップの他の実施の形態を示した図である。
【符号の説明】
【００２７】
１  容器
２  ベースカップ
２ａ  底壁
２ｂ  遮蔽壁
２ｃ  外周壁
３  貫通孔
４  通路
５  遮光性フィルム
６  ヒンジ
ｔ  凸部
ｔ１  縁部
Ｋ  中心開口
Ｋ１  外側開口
Ｌ  リブ
Ｐ  揺動端
【図１】
2006096358.tif 000003
【図２】
2006096358.tif 000004
【図３】
2006096358.tif 000005
【図４】
2006096358.tif 000006
【図５】
2006096358.tif 000007
【図６】
2006096358.tif 000008